(57)【特許請求の範囲】
【請求項１】
バーナを熱源とする熱交換器を備える湯沸器用の操作装置であって、復動位置から往動位置に押し操作自在で且つ回動操作自在な操作摘みと、操作摘みを１回目の押し操作後、往動位置に係止し、２回目の押し操作後、復動位置に復帰させるプッシュプッシュ機構とを備え、操作摘みが所定の調温角度範囲内の回動位置に存し且つ１回目の押し操作により往動位置に存するとき熱交換器を通る通水路に設けた止水弁が開弁されて熱交換器に通水されると共に、バーナへのガス供給路に設けたガス弁が開弁されバーナの燃焼が行われて出湯する状態となり、往動位置に存する操作摘みを調温角度範囲内で回動することにより熱交換器への通水量又はバーナの燃焼量が変化して湯温が調節され、操作摘みの調温角度範囲から外れた回動位置が水を熱交換器で加熱せずに出水する出水位置として設定され、操作摘みが往動位置に存する状態で出水位置に回動されることを阻止するストッパ機構を設けて、復動位置に存するときにのみ操作摘みを調温角度範囲から出水位置に回動可能とするものにおいて、
ストッパ機構は、出水位置での操作摘みの復動位置から往動位置への押し操作を許容すると共に、操作摘みが往動位置に存する状態で出水位置から調温角度範囲に回動されることを阻止するように構成され、
出水位置で操作摘みを押し操作し操作摘みが往動位置に存するときガス弁が閉弁された状態を維持すると共に止水弁が開弁され、出水位置で操作摘みを押し操作し操作摘みが復動位置に存するとき止水弁が閉弁されるようにしたことを特徴とする湯沸器用の操作装置。
【発明の詳細な説明】
【技術分野】
【０００１】
本発明は、バーナを熱源とする熱交換器を備える湯沸器用の操作装置に関する。
【背景技術】
【０００２】
従来、バーナを熱源とする熱交換器を備える湯沸器用の操作装置として、復動位置から往動位置に押し操作自在で且つ回動操作自在な操作摘みと、操作摘みを１回目の押し操作後、往動位置に係止し、２回目の押し操作後、復動位置に復帰させるプッシュプッシュ機構とを備え、操作摘みが所定の調温角度範囲内の回動位置に存し且つ１回目の押し操作により往動位置に存するとき熱交換器を通る通水路に設けた止水弁が開弁されると共に、バーナへ燃料ガスを供給するガス供給路に設けたガス弁が開弁されバーナの燃焼が行われて出湯する状態となり、往動位置に存する操作摘みを調温角度範囲内で回動することにより熱交換器への通水量又はバーナの燃焼量が変化して湯温が調節されるようにしたものが知られている。
【０００３】
又、操作摘みの調温角度範囲から外れた回動位置を、水を熱交換器で加熱せずに出水する出水位置として設定するものも知られている。この場合、調温角度範囲内で湯温を調節する際に誤って操作摘みを回し過ぎて出水位置へ意図せずに切り換わってしまうことがある。これを防止するため、操作摘みが往動位置に存する状態で出水位置に回動されることを阻止するストッパ機構を設けて、復動位置に存するときにのみ操作摘みを調温角度範囲から出水位置に回動可能としている（例えば、特許文献１参照）。
【０００４】
特許文献１のものでは、操作摘みが出水位置に回動されると、出水位置への回動に連動して止水弁を開弁させる連動機構が作動し止水弁が開弁され出水される。そして、操作摘みを調温範囲内まで回動させることにより前記連動機構により止水弁が閉弁され止水される。
【０００５】
又、操作摘みが出水位置であるときに使用者が操作摘みを押してしまうと、操作摘みが往動位置へ移動し、ガス弁が開弁されてバーナの燃焼が行われ、出水から出湯へ意図せずに切り換わってしまう。そこで、特許文献１のものでは、ストッパ機構を出水位置に存する操作摘みの往動位置への移動が阻止されるように構成し、出水の際に誤って操作摘みを押圧しガス弁が開弁されることを防止している。
【０００６】
しかしながら、上記の如き構成では、出湯時においては往動位置に存する操作摘みを再度の押圧操作で復動位置へ戻すことにより出湯を止めるのに対し、出水時においては操作摘みを出水位置から調温角度範囲内へ回動操作することにより出水を止めることとなる。従って、出湯時と出水時とにおける止水操作が異なり、使用者が止水操作を誤りやすく操作性が悪いという問題があった。
【特許文献１】実公平７−３２４０号公報
【発明の開示】
【発明が解決しようとする課題】
【０００７】
本発明は、以上の点に鑑み、意図せずに出湯と出水とが切り換わることを防止すると共に操作性を向上させた湯沸器用の操作装置を提供することを目的とする。
【課題を解決するための手段】
【０００８】
上記目的を達成するため、本発明は、バーナを熱源とする熱交換器を備える湯沸器用の操作装置であって、復動位置から往動位置に押し操作自在で且つ回動操作自在な操作摘みと、操作摘みを１回目の押し操作後、往動位置に係止し、２回目の押し操作後、復動位置に復帰させるプッシュプッシュ機構とを備え、操作摘みが所定の調温角度範囲内の回動位置に存し且つ１回目の押し操作により往動位置に存するとき熱交換器を通る通水路に設けた止水弁が開弁されて熱交換器に通水されると共に、バーナへのガス供給路に設けたガス弁が開弁されバーナの燃焼が行われて出湯する状態となり、往動位置に存する操作摘みを調温角度範囲内で回動することにより熱交換器への通水量又はバーナの燃焼量が変化して湯温が調節され、操作摘みの調温角度範囲から外れた回動位置が水を熱交換器で加熱せずに出水する出水位置として設定され、操作摘みが往動位置に存する状態で出水位置に回動されることを阻止するストッパ機構を設けて、復動位置に存するときにのみ操作摘みを調温角度範囲から出水位置に回動可能とするものを以下の如く改良している。
【０００９】
即ち、本発明の湯沸器用の操作装置においては、ストッパ機構は、出水位置での操作摘みの復動位置から往動位置への押し操作を許容すると共に、操作摘みが往動位置に存する状態で出水位置から調温角度範囲に回動されることを阻止するように構成され、出水位置で操作摘みを押し操作し操作摘みが往動位置に存するときガス弁が閉弁された状態を維持すると共に止水弁が開弁され、出水位置で操作摘みを押し操作し操作摘みが復動位置に存するとき止水弁が閉弁されるようにしたことを特徴とする。
【００１０】
かかる構成によれば、出湯時と出水時との止水操作が共に操作摘みの押圧操作により往動位置から復動位置に復帰させることで行われるため、止水操作が同一であり操作性を向上させることができる。又、操作摘みが往動位置であるときには、ストッパ機構により調温角度範囲内から出水位置への回動、及び出水位置から調温角度範囲内への回動が阻止される。これにより、往動位置で操作摘みを誤って回動させても出水と出湯とが意図せずに切り換わることを防止することができる。
【発明を実施するための最良の形態】
【００１１】
図１及び図２を参照して、１はバックプレート１ａとフロントカバー１ｂとで構成される湯沸器本体である。本体１には、ガスバーナ２と、バーナ２を熱源とする熱交換器３と、下端に配置された水道管用ジョイント４と、水道管用ジョイント４に接続される水系バルブユニット５と、下端に配置されたガス管用ジョイント６と、ガス管用ジョイント６に接続されるガス供給路としてのガス系バルブユニット７とが設けられている。
【００１２】
水系バルブユニット５の下流側には、熱交換器３を通る通水路としての熱交水路８とバイパス水路９とが接続されている。熱交水路８の下流端とバイパス水路９の下流端とは湯沸器本体１の下端中央部に設けたミキシング部１０で合流される。ミキシング部１０には出湯ヘッド１１を可撓管１２を介して接続している。
【００１３】
ガス系バルブユニット７には、図３に模式的に示したように、上流側から順に、電磁弁からなるガス弁７０と、水圧応動弁７１と、ガスガバナ７２と、ガス量調節弁７３とが設けられている。
【００１４】
又、水系バルブユニット５には、図４に示す如く、上流側から順に、止水弁５０と、水ガバナ５１と、水量調節弁５２とが設けられている。止水弁５０は、水道管用ジョイント４に連なる止水弁５０の弁室５０ａと水ガバナ５１とを画成する仕切部材５３に形成した弁孔５０ｂを閉じるダイヤフラム弁５０ｃと、ダイヤフラム弁５０ｃで画成される背圧室５０ｄに設けたパイロット弁５０ｅとを備える。
【００１５】
ダイヤフラム弁５０ｃには、弁室５０ａと背圧室５０ｄとを連通するオリフィス孔５０ｆと、背圧室５０ｄと水ガバナ５１とを連通するパイロット孔５０ｇとが形成されている。パイロット弁５０ｅはばね５０ｈでダイヤフラム弁５０ｃ側に付勢され、常時はパイロット弁５０ｅによりパイロット孔５０ｇが閉塞されている。そして、パイロット弁５０ｅをばね５０ｈに抗して退動させてパイロット孔５０ｇを開いたとき、背圧室５０ｄの圧力が低下して、弁室５０ａとの圧力差によりダイヤフラム弁５０ｃが退動して弁孔５０ｂが開かれ、水ガバナ５１に通水される。
【００１６】
水ガバナ５１は、一次圧室５１ａと二次圧室５１ｂとを画成する弁座部材５１ｃに内挿した弁体５１ｄと、二次圧室５１ｂ側で弁体５１ｄと連結されるダイヤフラム５１ｅとを備える。ダイヤフラム５１ｅで画成される背圧室５１ｆは、熱交水路８の上流端と接続される接続部５４に設けたベンチュリー５５の負圧取出口５５ａと連通孔５５ｂを介して連通されている。止水弁５０の開弁で通水されたとき、ベンチュリー５５に生ずる負圧によりダイヤフラム５１ｅが背圧室５１ｆ側に撓み、ダイヤフラム５１ｅに連動するロッド５１ｇを介して水圧応動弁７１が開弁される。
【００１７】
水量調節弁５２は、水ガバナ５１に図４の紙面裏側で連通する筒状の弁室５２ａに回動自在に装着した筒状の弁体５２ｂを備えている。弁体５２ｂには、図５に示す如く、熱交水路８と接続される接続部５４に臨む弁孔５２ｃと、バイパス水路９の上流端と接続される接続部５６に臨む弁孔５２ｄとを形成し、弁体５２ｂの回動で熱交水路８とバイパス水路９とへの通水量を増減し得るようにした。
【００１８】
ガス量調節弁７３は、図１に示すレバー１３によりその上端の扇形ラック１４に咬合するピニオン１５を介して操作される。一方、止水弁５０と水量調節弁５２は単一の操作摘み１６により操作されるもので、以下、止水弁５０と水量調節弁５２の操作装置について詳述する。
【００１９】
水系バルブユニット５は、水量調節弁５２の弁体５２ｂの軸部５２ｅが前方を向き、止水弁５０のパイロット弁５０ｅに連結される操作ロッド５０ｉが横方向外方を向くように配置されており、図５及び図６に示す如く、水系バルブユニット５の前面に固定されるコ字状の取付ブラケット１７に操作装置が取付けられている。
【００２０】
操作装置は、図７に示す如く、操作摘み１６と、取付ブラケット１７の前端にねじ止めされるベース盤１８と、ベース盤１８に前後方向の軸線回りに回動自在に保持される回動部材１９と、ベース盤１８に前後方向に往復動自在に保持される往復動部材２０と、回動部材１９に前後方向に摺動自在に係合するスライダ２１と、取付ブラケット１７に枢着したレバー２２とで構成されている。
【００２１】
回動部材１９は、ベース盤１８に形成した円形孔１８ａに回動自在に内嵌する円筒部１９ａと、円筒部１９ａの前端の周囲複数箇所に形成した爪部１９ｂと、円筒部１９ａの後端のフランジ部１９ｃとを備えており、円筒部１９ａを円形孔１８ａに内嵌させたとき、爪部１９ｂが円形孔１８ａの前縁に係合すると共にフランジ部１９ｃがベース盤１８の背面に当接して、回動部材１９がベース盤１８に対し抜け止めされるようにした。回動部材１９の後部は有底の角筒部１９ｄに形成されており、角筒状に形成したスライダ２１を角筒部１９ｄの後端との間にばね２１ａを介設した状態で角筒部１９ｄに挿入することにより、スライダ２１を回動部材１９に回り止めして前後方向に摺動自在に係合させた。
【００２２】
又、回動部材１９とスライダ２１との間には、スライダ２１の一側面に形成したハート形のカム溝２３０と、一端が回動部材１９の角筒部１９ｄの一側面に形成したスリット１９ｉを通してカム溝２３０に係合し、他端が回動部材１９の後端面に形成した溝部１９ｊに挿入支持される略コ字状の係合アーム２３１と、係合アーム２３１をその一端がカム溝２３０に押し込まれるように内方に付勢するリング状スプリング２３２とからなるプッシュプッシュ機構２３が設けられている。尚、リング状スプリング２３２は、角筒部１９ｄの後部外周のフランジ２３３ａとその後方の爪部２３３ｂとの間に前後方向にずれないように装着されている。
【００２３】
往復動部材２０は、角筒部１９ｄを囲繞する円筒状に形成されており、その外周の周囲２箇所に前方にのびる１対のガイドスリーブ２０ａ，２０ａを一体成形して、両スリーブ２０ａ，２０ａをベース盤１８の背面に一体に突設した後方にのびる１対のガイドバー１８ｂ，１８ｂに外挿し、かくて、往復動部材２０をベース盤１８に対し回り止めして前後方向に往復動自在に支持し得るようにした。
【００２４】
又、往復動部材２０の前端にはフランジ部２０ｂが形成されており、スライダ２１に、回動部材１９に形成した前後方向に延在するスリット溝１９ｅを通して外方に突出する爪部２１ｂを形成して、爪部２１ｂをフランジ部２０ｂに係合することにより、スライダ２１と往復動部材２０とをスライダ２１の相対回転を許容した状態で前後方向に連結し得るようにした。
【００２５】
操作装置の組立に際しては、回動部材１９にスライダ２１を挿入した後、プッシュプッシュ機構２３を組立て、次に、爪部２１ｂをフランジ部２０ｂに係合させてスライダ２１と往復動部材２０とを連結する。この連結に際しては、フランジ部２０ｂの切欠き２０ｃが爪部２１ｂに合致するように位相合わせして往復動部材２０を回動部材１９に外挿し、次いで往復動部材２０を回転させて爪部２１ｂにフランジ部２０ｂを係合させる。
【００２６】
次に、円筒部１９ａを円形孔１８ａに内嵌させると共に、ガイドスリーブ２０ａをガイドバー１８ｂに外嵌させる。これによれば、往復動部材２０がベース盤１８に対し回り止めされ、一方、回動部材１９に突設したストッパ１９ｆとベース盤１８の背面に突設した１対の受け部１８ｃ，１８ｄとにより回動部材１９の回動範囲が図８に示す如く規制され、回動部材１９に回り止めされるスライダ２１の爪部２１ｂは往復動部材２０のフランジ部２０ｂの切欠き２０ｃに合致する位置までは回動しなくなり、スライダ２１と往復動部材２０との連結が解かれることはない。
【００２７】
回動部材１９には円筒部１９ａの前方に突出する１対のガイドバー１９ｇ，１９ｇが突設され、又、スライダ２１には前方にのびる軸部２１ｃが突設されており、操作摘み１６の内面に中心のボス孔１６ａとその両側の１対のボス孔１６ｂ，１６ｂとを形成し、両ボス孔１６ｂ，１６ｂに両ガイドバー１９ｇ，１９ｇを摺動自在に挿入すると共に、ボス孔１６ａに軸部２１ｃを内嵌させ、かくて、操作摘み１６が回動部材１９に対し回り止めされて前後方向に相対移動自在に係合され、且つ、操作摘み１６の押し操作でスライダ２１が後方に往動されるようにした。
【００２８】
以上の如くして操作装置を組立てた後、ベース盤１８を取付ブラケット１７にねじ止めするが、これによれば回動部材１９が水量調節弁５２と同軸上の前方に配置される。回動部材１９の後端には後方にのびる異形断面の軸部１９ｈが突設されており、水量調節弁５２の弁体５２ｂの軸部５２ｅに形成した異形断面の孔に図５に示す如く軸部１９ｈが嵌合し、回動部材１９と水量調節弁５２の弁体５２ｂとが直結される。
【００２９】
又、往復動部材２０の後端に突設した凸部２０ｄがレバー２２の一端に当接し、往復動部材２０の後方への往動でレバー２２を介して止水弁５０が開弁される。レバー２２は、中間部を枢軸２２ａを介して取付ブラケット１７に軸支したＬ型レバーで構成されており、レバー２２の他端を、止水弁５０のパイロット弁５０ｅに図４に示す如く連結した弁杆５０ｉの外端の駒部５０ｊに係合させ、往復動部材２０の後方への往動でレバー２２が図６で反時計方向に揺動されたとき、パイロット弁５０ｅがばね５０ｈに抗して引き開かれて止水弁５０が開弁されるようにした。尚、レバー２２はばね２２ｂにより止水弁５０の閉じ方向、即ち、図６で時計方向に付勢されている。図中２２ｃは、レバー２２の一端部に形成した、ガイドバー１８ｂ及びガイドスリーブ２０ａに対する逃げ穴である。
【００３０】
又、ベース盤１８には、回動部材１９に連動する第１スイッチＳＷ１と、往復動部材２０に連動する第２スイッチＳＷ２とが設けられている。第１スイッチＳＷ１は、燃焼制御回路の電源スイッチとして機能するもので、図８に示す如く、回動部材１９のフランジ部１９ｃによってスイッチレバーＳＷ１ａが押し上げられたときオンし、回動部材１９をストッパ１９ｆが受け部１８ｃに当接する一方の回動端位置に回動したとき、フランジ部１９ｃの切欠き部分１９ｈにスイッチレバーＳＷ１ａが落ち込んで第１スイッチＳＷ１がオフされるようにした。
【００３１】
第２スイッチＳＷ２は点火スイッチとして機能するもので、図９に示す如く、往復動部材２０の一方のガイドスリーブ２０ａに形成したカム突部２０ｅと協働するスイッチレバーＳＷ２ａを備えており、往復動部材２０の後方への往動でカム突部２０ｅによりスイッチレバーＳＷ２ａが押し上げられたときオンする。
【００３２】
又、図３に示す如く、水圧応動弁７１に連動する第３スイッチＳＷ３が設けられている。第３スイッチＳＷ３はガス弁７０の開弁スイッチとして機能するもので、水ガバナ５１のロッド５１ｇを当接させる水圧応動弁７１の外端の駒７１ａと協働して、水圧応動弁７１の開弁時にオンされる。
【００３３】
第１スイッチＳＷ１がオンされている状態で第２スイッチＳＷ２と第３スイッチＳＷ３がオンされると、ガス弁７０が開弁されると共にガスバーナ２に付設した点火器２５（図１参照）が作動してガスバーナ２に点火される。点火後、一定期間はガスバーナ２に付設したフレームロッド２４からの信号でガス弁７０が開弁保持され、その後火炎検知用の熱電対２６の出力でガス弁７０が開弁保持される。尚、熱電対２６には熱交換器３に付設した酸欠検知用の熱電対２７が逆極性で接続されており、酸欠時には熱電対２６の出力が熱電対２７が出力で相殺されて、ガス弁７０が閉弁される。
【００３４】
第１スイッチＳＷ１がオフされている状態では、第２と第３の両スイッチＳＷ２，ＳＷ３がオンされても、ガス弁７０は開弁されず、且つ、点火器２５も作動されない。第１スイッチＳＷ１がオフされる回動位置は操作摘み１６の出水位置として設定されている。又、第１スイッチＳＷ１がオンされる回動範囲は操作摘み１６の調温角度範囲として設定されている。
【００３５】
又、図１０に示すように、操作摘み１６には後方に突出する凸部１６ｃが設けられ、ベース盤１８には前方に突出する凸部１８ｅが設けられている。凸部１６ｃは、操作摘み１６が往動位置に存するときに操作摘み１６を回動させて出湯と出水とを切り換える位置（調温角度範囲と出水位置との間の位置）で凸部１８ｅと当接し、操作摘み１６のそれ以上の回動を阻止する。又、凸部１６ｃは、操作摘み１６が復動位置に存するときには凸部１８ｅと当接せず、出湯と出水とを切り換える回動を許容する。
【００３６】
又、凸部１６ｃと凸部１８ｅとは、出水位置での操作摘み１６の復動位置から往動位置への押し操作を許容するように、操作摘み１６が出水位置に存するときは、回動方向に位置がずれるように配置されている。
【００３７】
次に、上記湯沸器の作用を説明する。操作摘み１６を出水位置以外の調温角度範囲内で押すと、スライダ２１を介して往復動部材２０が後方に往動され、この往動により第２スイッチＳＷ２がオンされると共に、レバー２２を介して止水弁５０が開弁され、熱交換器３に通水される。そして、この通水により水ガバナ５１のロッド５１ｇを介して水圧応動弁７１が開弁されると共に第３スイッチＳＷ３がオンされ、ガス弁７０が開弁されると共に点火器２５が作動されてガスバーナ２に点火され、出湯が行なわれる。その後、操作摘み１６の押圧を解除しても、プッシュプッシュ機構２３によりスライダ２１と往復動部材２０とを介して操作摘み１６は往動位置に係止され、継続して出湯される。
【００３８】
操作摘み１６を調温角度範囲内で回動すると、回動部材１９を介して水量調節弁５２の弁体５２ｂが回動され、熱交換器３への通水量が増減されて、出湯温度が変化する。かくて、操作摘み１６の調温角度範囲内での回動により出湯温度を調節できる。このとき、操作摘み１６を調温範囲外の出水位置に回動させようとしても、操作摘み１６に設けられた凸部１６ｃとベース盤１８に設けられた凸部１８ｅとが接触し、出水位置への回動が阻止される。
【００３９】
出水させる場合には、操作摘み１６を復動位置に復帰させてから出水位置に回動する。そして、操作摘み１６を押圧し往動位置に係止させる。この状態では止水弁５０は開弁されるが、第１スイッチＳＷ１はオフになってガス弁７０は閉弁されたままの状態となる。従って、水が熱交換器３で加熱されずに出水される。
【００４０】
このとき、操作摘み１６を調温角度範囲内に回動させようとしても、凸部１６ｃと凸部１８ｅとが接触し、調温角度範囲内への回動が阻止される。即ち、実施形態の操作装置においては、凸部１６ｃと凸部１８ｅとにより本発明のストッパ機構を構成している。
【００４１】
これにより、操作摘み１６が往動位置であるときには、ストッパ機構により調温角度範囲内から出水位置への回動、及び出水位置から調温角度範囲内への回動が阻止されるため、往動位置で操作摘み１６を誤って回動させても出水と出湯とが意図せずに切り換わることを防止することができる。
【００４２】
出水を止める場合には、再度操作摘み１６を押圧して復動位置に復帰させればよい。これにより、レバー２２を介して止水弁５０が閉弁され、熱交換器３への通水が阻止される。
【００４３】
尚、上記実施形態では、熱交換器３への通水時にガスバーナ２に点火器２５によってダイレクト点火するようにしたが、ガスバーナ２に該バーナ２の消火時にも着火している常火バーナを付設して、常火バーナからガスバーナ２に火移り点火させるようにしてもよい。この場合は、第２、第３スイッチＳＷ２，ＳＷ３は不要となる。尚、出水位置を設定する場合は、ガス供給路の常火バーナへの分岐部下流側のメインバーナに連なる通路部分に、第１スイッチＳＷ１のオフ時に閉弁されるガス弁を水圧応動弁と直列に介設する。
【００４４】
又、上記実施形態では、ガス量調節弁７３をレバー１３で操作するようにしたが、ガス量調節弁７３を回動部材１９に連動して操作する連動機構を設け、単一の操作摘み１６により回動部材１９を介して水量調節弁５２とガス量調節弁７３とを共に操作し得るようにしてもよい。
【００４５】
又、実施形態の操作装置においては、レバー２２により止水弁５０を開閉するようにしたが、レバー２２に代えてモータを用いて止水弁５０を開閉するようにしてもよい。この場合、操作摘み１６が往動位置に存する状態で止水弁５０を開弁させるようにモータを作動させ、操作摘み１６が復動位置に存する状態で止水弁５０を閉弁させるようにモータを作動させるスイッチ等を設ければよい。
【００４６】
以上の説明から明らかなように、実施形態の湯沸器用の操作装置によれば、出湯時と出水時との止水操作が共に操作摘み１６の押圧操作により往動位置から復動位置に復帰させることで行われるため、止水操作が同一であり、操作性を向上させることができる。
【図面の簡単な説明】
【００４７】
【図１】本発明の操作装置を具備する湯沸器の一例の正面図。
【図２】図１の右側面図。
【図３】湯沸器のガス系バルブユニットを模式的に示した図。
【図４】湯沸器の水系バルブユニットの切断正面図。
【図５】操作装置の一部を組み付けた状態の水系バルブユニットの側面図。
【図６】図５のＶＩ−ＶＩ線断面図。
【図７】本発明の操作装置の実施形態を分解して示す斜視図。
【図８】第１スイッチのオンオフ動作を説明する図。
【図９】第２スイッチのオンオフ動作を説明する図。
【図１０】実施形態の操作装置の一部を示す斜視図。
【符号の説明】
【００４８】
１…湯沸器本体、  ２…ガスバーナ、  ３…熱交換器、  ５０…止水弁、  ５１…水ガバナ、  ５２…水量調節弁、  ７…ガス系バルブユニット（ガス供給路）、  ７０…ガス弁、  ８…熱交水路（通水路）、  １６…操作摘み、  １６ｃ…凸部（ストッパ機構）、  １８…ベース盤、  １８ｅ…凸部（ストッパ機構）、  ２３…プッシュプッシュ機構。
【図１】
0004737557.tif 000002
【図２】
0004737557.tif 000003
【図３】
0004737557.tif 000004
【図４】
0004737557.tif 000005
【図５】
0004737557.tif 000006
【図６】
0004737557.tif 000007
【図７】
0004737557.tif 000008
【図８】
0004737557.tif 000009
【図９】
0004737557.tif 000010
【図１０】
0004737557.tif 000011